(57)【要約】【課題】結像面の近傍領域で磨耗紛などを好適に捕捉できるようにした、フォーカルプレンシャッタを備えているカメラを提供すること。【解決手段】フォーカルプレンシャッタＡは、シャッタ地板３と補助地板４の間を中間板５で仕切り二つの羽根室を構成している。固定撮像素子１２は、その撮像面１２ａを、補助地板４の開口部４ａに臨ませるように配置されている。開口部４ａの羽根室外において、粘着シート１３が、補助地板４に取り付けられている。そして、その粘着シート１３は、撮影画枠に影響しない範囲で粘着面をレンズ側に向け開口部４ａに臨まされている。そのため、羽根室内で舞い上がり、撮像面近傍領域に飛来した磨耗紛などは、粘着面に好適に捕捉され、撮像面に飛来して付着する量が非常に減少するようになっている。【選択図】　図２
2004085942.tif 000002
【特許請求の範囲】
【請求項１】
撮影光路用の開口部を形成した二つの地板の間にシャッタ羽根を配置するための少なくとも一つの羽根室を構成しカメラ内において該地板の一方を結像面側にし他方をレンズ側にして配置されたフォーカルプレンシャッタを備えており、前記結像面側の地板の前記開口部の羽根室外には、粘着シートが、撮影画枠に影響しない範囲でその粘着面をレンズ側に向けて配置されていることを特徴とするカメラ。
【請求項２】
前記粘着シートが、前記結像面側に配置された地板に取り付けられていることを特徴とする請求項１に記載のカメラ。
【請求項３】
前記二つの地板の外形形成端面には、粘着面を該二つの地板の間隙に向け、該間隙を塞ぐようにして、他の粘着シートが配置されていることを特徴とする請求項１又は２に記載のカメラ。
【発明の詳細な説明】
【０００１】
【発明の属する技術分野】
本発明は、フォーカルプレンシャッタを備えたカメラに関する。
【０００２】
【従来の技術】
最近のフォーカルプレンシャッタとしては、シャッタ羽根を二つ備えたものと、一つだけしか備えていないものとがある。そして、前者のフォーカルプレンシャッタは、シャッタ地板と補助地板の間を中間板で仕切って二つの羽根室を構成し、それらの羽根室内に、夫々、先羽根（群），後羽根（群）と称されている二つのシャッタ羽根を配置している。そして、この種のフォーカルプレンシャッタは、銀塩カメラにもデジタルスチルカメラにも採用されている。また、後者のフォーカルプレンシャッタは、上記の中間板を備えておらず、シャッタ地板と補助地板の間に構成された羽根室に一つのシャッタ羽根を配置したもので、デジタルスチルカメラにだけ採用されている。
【０００３】
また、前者のものも後者のものも、各々のシャッタ羽根の基本構成は同じであって、一端をシャッタ地板に枢着された二つのアーム（三つのものも提案されている）に対し、１枚以上（通常は複数枚）の羽根を枢支することにより、平行リンク機構を構成しているのが普通である。また、二つのシャッタ羽根を備えたタイプのものは、各アームの最も先端側に枢支された羽根をスリット形成羽根としている。そして、各々のアームに対する各羽根の枢支構成は同じであり、アームに形成された孔と、羽根に形成された孔とを重ね、リベット部品である連結軸の先端をそれらの孔にアーム側から挿入し、その先端を、かしめ加工によって羽根に固着している。
【０００４】
そのため、羽根と一体化された連結軸とアームとは、相互に回転可能状態になっているが、各々の羽根は、二つのアームに枢支されているため、アームが作動されたときにだけ、枢支部において相対的な回転が行われる。また、上記のかしめ部は、羽根の形状を工夫することによって、羽根の摺動面（アームに対向する面とは反対側の面）から突き出ないようにされているが、連結軸の頭部は、アームから突き出た状態になっている。尚、このような枢支部の構成は周知であって、特開平７−３３３６８４号公報にも記載されているが、その公報においては、上記の補助地板をカバー板と称している。
【０００５】
そして、シャッタ羽根を二つ備えたフォーカルプレンシャッタの場合には、各羽根室内において各々の羽根の摺動面を中間板に向けて配置されるので、一方のシャッタ羽根のアームは羽根よりもシャッタ地板側に配置され、他方のシャッタ羽根のアームは羽根よりも補助地板側に配置されている。即ち、一方のシャッタ羽根は、全ての連結軸の頭部を、アームからシャッタ地板側に突き出し、他方のシャッタ羽根は、全ての連結軸の頭部を、アームから補助地板側に突き出していることになる。
【０００６】
そのため、この種のシャッタをカメラに取り付けた場合には、シャッタ地板と補助地板のどちらを被写体側にして取り付けても、必ずいずれか一方のシャッタ羽根が、連結軸の頭部を撮影者側（即ち撮像素子やフィルム側）に配置された地板に向けて突き出していることになる。他方、シャッタ羽根を一つだけしか備えていないフォーカルプレンシャッタの場合には、カメラに対して、連結軸の頭部を被写体側にして取り付けることもできるが、カメラ内でのシャッタの組み込みスペース等の関係から、撮影者側にして取り付けるようにしたい場合もある。
【０００７】
ところで、デジタルスチルカメラの場合のみならず銀塩カメラの場合でも、撮像素子の撮像面やフィルムの感光面にゴミや埃が付着すると良好な被写体画像を得ることができない。しかしながら、ゴミや埃といっても、通常、カメラ内で発生するものは、その多くは部材間の摩擦によって生じる磨耗紛であるが、それらの磨耗紛は、殆ど目視が困難なほど微細なものが多い。また、外部からカメラ内に進入するものは、その多くは微細であるが、中には大きなものがある。そして、これまでの銀塩カメラの場合には、比較的大きなものが進入してフィルムの感光面に付着しても、問題となるのはそのフィルムコマだけであるため、問題視する人が少なかった。ところが、後記するデジタルスチルカメラでの問題を知ってからは、最近では銀塩カメラの場合にもその点を問題視する人が多くなってきている。
【０００８】
他方、デジタルスチルカメラの場合には、ゴミや埃が微細であっても問題となる。即ち、ゴミや埃が微細であれば、最初は問題視するほどではないが、そのうちに、撮像面やその前面のフィルタなどに積み重なって付着していくため、徐々に撮影画像の全てにその影響が大きく現れてきてしまうようになる。そのため、デジタルスチルカメラの場合には、どのような微細なゴミや埃に対しても、何らかの対策を講じておく必要がある。そこで、カメラ本体側における種々な対策は勿論のこと、フォーカルプレンシャッタの製作に際しても、構成上において、可能な限りの対策を講じることが要求されており、これまでにも、多くの提案がなされている。
【０００９】
【発明が解決しようとする課題】
ところで、シャッタの作動によって発生する磨耗紛は、シャッタ羽根に用いられている上記の連結軸の存在に起因して発生するものが多い。また、羽根室外に設けられたシャッタ駆動機構の作動で発生し、羽根室内に進入してくるものもある。そして、そのような磨耗紛の多くは、発生と同時には空中に飛散されず、露光作動の停止時までは、連結軸の頭部などの発生箇所の周辺に付着しており、停止時に生じる大きな衝撃によって空中に飛散させられる。その結果、羽根室内で飛散されたものの一部が、直接撮像素子の撮像面やフィルムの感光面（以下、総称する場合には結像面という）に飛来するしことになるし、羽根室外で飛散したものの一部は羽根室内に進入してくることになる。
【００１０】
また、上記の飛散によって、結像面にまで飛来しなかったものは、その殆どが羽根室内に残留し、各部材面に一時的に付着しており、次の露光作動の停止時に舞い上げられ、新たに発生した磨耗紛と共にその一部が結像面に向かうことになる。そして、このような繰り返しの中に、カメラの外部から進入した塵埃も含まれ、同じようにして、磨耗紛と共に結像面に飛来するようになる。従って、このことから、シャッタの作動で発生した磨耗紛や外部から進入してきた塵埃が、如何にして羽根室内で舞い上がりを繰り返さないようにするか、特に、結像面に近いところで舞い上がりを繰り返さないようにするかが重要になる。
【００１１】
本発明は、このような問題点を解決するためになされたものであり、その目的とするところは、フォーカルプレンシャッタの羽根室を構成している地板のうち、結像面側に配置された地板の撮影光路用開口部の近傍で、磨耗紛や塵埃を好適に捕捉できるようにしたカメラを提供することである。
【００１２】
【課題を解決するための手段】
上記の目的を達成するために、本発明のカメラは、撮影光路用の開口部を形成した二つの地板の間にシャッタ羽根を配置するための少なくとも一つの羽根室を構成しカメラ内において該地板の一方を結像面側にし他方をレンズ側にして配置されたフォーカルプレンシャッタを備えており、前記結像面側の地板の前記開口部の羽根室外には、粘着シートが、撮影画枠に影響しない範囲でその粘着面をレンズ側に向けて配置されているようにする。
【００１３】その場合、前記粘着シートが、前記結像面側に配置された地板に取り付けられているようにすると、製作上、極めて有利になり。また、前記二つの地板の外形形成端面には、粘着面を該二つの地板の間隙に向け、該間隙を塞ぐようにして、他の粘着シートが配置されているようにすると、磨耗紛や塵埃をより一層捕捉できるようになる。
【００１４】
【発明の実施の形態】
本発明の実施の形態を、図示した実施例によって説明するが、本実施例のカメラは、デジタルスチルカメラであって、フォーカルプレンシャッタは、二つのシャッタ羽根を備えている。尚、図１は、撮影レンズ側から視た実施例の平面図であって、シャッタ羽根が撮影光路を全開にしている状態を示したものである。また、図２は、図１の左側面図であって、シャッタユニットについては図１の略中央で切断した断面で示したものである。
【００１５】
本実施例のミラーボックス１は、四つの壁１ａ，１ｂ，１ｃ，１ｄで囲まれた四角い筒状の収容室を有していて、その二つの開放端のうち、一方には基板部１ｅを有し、他方にはマウント部１ｆを有している。そして、明示されていないが、壁１ａにはファインダ光学系に通じる開口部が設けられている。また、壁１ｃ，１ｄには収容室内に配置されている可動ミラー２が軸受けされており、壁１ｃの外側に配置されているミラー駆動機構によって、図２に破線で示したアップ状態と二点鎖線で示したダウン状態との間を作動させられるようになっているが、それらの構成は周知であって本発明とは直接関係がないので、可動ミラー２は概略的に示してあり、ミラー駆動機構や、それと可動ミラー２とを連動させるために壁１ｃに形成されている開口部などの図示は省略してある。
【００１６】
図１から分かるように、ミラーボックス１の基板部１ｅには、可動ミラー２の収容室を臨むところに、長方形をした開口部１ｇが形成されている。また、収容室外の左右上方と左下方との３箇所には、ミラーボックス１をカメラ本体に取り付けるための孔１ｈ，１ｉ，１ｊが形成されている。更に、ミラーボックス１のマウント部１ｆには、撮影レンズが交換可能に取り付けられるが、その取付構成は周知であって本発明とは直接関係がないので、概略的に示してある。
【００１７】
本実施例におけるフォーカルプレンシャッタＡは、先羽根，後羽根と称される二つのシャッタ羽根を備えた周知の構成をしている。そのため、図１及び図２には、必要なところ以外の構成を概略的に示してある。そこで、先ず、図２から分かるように、本実施例におけるフォーカルプレンシャッタＡは、シャッタ地板３と補助地板４の間を中間板５で仕切って二つの羽根室を構成し、シャッタ地板３と中間板５の間を先羽根の羽根室とし、補助地板４と中間板５の間を後羽根の羽根室としている。また、先羽根と後羽根は、既に説明したような周知の構成をしていて、各々、二つのアームとそれらに枢支された４枚の羽根で構成されているが、図２においては、先羽根の４枚の羽根６と後羽根の４枚の羽根７だけを示している。
【００１８】
また、シャッタ地板３，補助地板４，中間板５には、略同じ形状をしていて、ミラーボックス１の開口部１ｇよりも若干小さな撮影光路用の開口部３ａ，４ａ，５ａが形成されている。そして、シャッタ地板３と補助地板４とは、相互に固定されているが、中間板５は、通常の場合、先羽根や後羽根の作動に応じて、若干ではあるが、シャッタ地板３側へ移動したり、補助地板４側へ移動したりすることができるように取り付けられている。
【００１９】
シャッタ地板３の羽根室外の面（レンズ側の面）には、図１にブロックで示した周知のシャッタ駆動機構８が取り付けられている。そして、このシャッタ駆動機構８には、通常、先羽根，後羽根に連結している先羽根用駆動部材，後羽根用駆動部材や、それらの駆動部材を夫々の駆動ばねの付勢力に抗してセットするセット部材や、各駆動部材に露光作動を開始させるための先羽根用電磁石，後羽根用電磁石などが含まれている。また、シャッタ地板３には、図１において左上方部に一つの取付部３ｂが設けられ、左右下方部には二つの取付部３ｃ，３ｄが設けられていて、夫々ビス９，１０，１１によってミラーボックス１の基板部１ｅに取り付けられている。
【００２０】
本実施例においては、フォーカルプレンシャッタＡの撮影者側に、例えばＣＣＤなどの固体撮像素子１２が配置されている。また、補助地板４の羽根室外の面（撮影者側の面）には、粘着シート１３が粘着面を羽根室側に向けて取り付けられ、撮影画枠を規制する固体撮像素子１２の撮像面１２ａと補助地板４の開口部４ａとの隙間を覆っている。この粘着シート１３は、図２においては、厚さをかなり誇張して示してあり、その外形は開口部４ａよりも大きく、その粘着面の外周部を補助地板４に接着させている。尚、本実施例の場合、固体撮像素子１２は、撮像面１２ａを有する撮像素子チップをハウジングに収容し、撮像面１２ａの前面を、撮像面１２ａよりも大きな図示していない透明なガラス板で封止した構成をしている。
【００２１】
また、図２に示されているように、粘着シート１３は、固体撮像素子１２と補助地板４との隙間を密封してしまうことが好ましいが、必ずしもそうする必要はない。更に、粘着シート１３としては、両面が粘着面となっているものを用い、一方の粘着面を固体撮像素子１２の撮像面１２ａの周囲にだけ貼付するようにしてもよいし、さらにその上、他方の粘着面を、本実施例のように補助地板４に貼付するようにしても差し支えない。また、粘着シート１３が薄く且つ柔軟性が大きくて、製作中の取扱いが面倒であったり、取付状態が安定しないような場合には、撮影者側に補強板を接着するようにすると好適になる。その場合、粘着シート１３は、両面が粘着面となっているものでもよい。また、本実施例では、粘着シート１３を、補助地板４に取り付けているのでカメラの製作上は有利であるが、シャッタユニットとは一体化せず、カメラ内における別部材に取り付けておき、本実施例のように配置するようにしても構わない。
【００２２】
更に、本実施例の場合には、粘着シート１４が、シャッタ地板３と補助地板４との外形形成端の端面に、両者の間の間隙を塞ぐようにして接着されている。しかも、この粘着シート１４は、図１に示すように、シャッタ地板３と補助地板４との間隙を全周にわたって塞いでいるので、羽根室内への遮光性に優れている。そのため、本実施例のカメラはデジタルスチルカメラであるが、銀塩カメラの場合には一層好適なものとなる。しかしながら、磨耗紛や塵埃を捕捉する目的からは、必ずしもこのような構成にする必要はなく、間隙を塞がないところが数箇所あっても差し支えないし、粘着シート１４をカメラ内における別部材に取り付けておき、シャッタ地板３と補助地板４との端面に近接又は接触させて配置するようにしても差し支えない。
【００２３】
ところで、既に説明したように、シャッタ羽根の作動によって発生した磨耗紛は、シャッタ羽根の作動停止時における衝撃によって、羽根室内で舞い上がる。また、そのとき、羽根室外にあるシャッタ駆動機構８で発生し羽根室内に進入してきた磨耗紛も、他のカメラ構成部材で発生し羽根室内に進入してきた磨耗紛も、カメラ外から入り羽根室内に進入してきた塵埃も、一斉に舞い上がる。そして、舞い上がった磨耗紛や塵埃は、一部はレンズ側に、一部は固体撮像素子１２側に、そして、一部は光軸の垂直方向へ飛散することになる。
【００２４】
ところが、本実施例の場合には、粘着シート１３が補助地板４の開口部４ａに臨み、固体撮像素子１２の撮像面１２ａとの間に配置されているので、その範囲に飛来した磨耗紛や塵埃は、その粘着面に的確に捕捉されてしまう。従って、シャッタ羽根６．７の次の作動停止時には、撮像面１２ａに一番近い領域からは磨耗紛や塵埃が舞い上がらないので、撮像面１２ａに飛来して付着する量は大きく抑制される。また、羽根室内で舞い上がり、光軸の垂直方向へ飛散したものは、その一部が粘着シート１４に捕捉されるので、その分だけ、シャッタ羽根の以後の作動停止時に再度舞い上げられ、固体撮像素子１２の撮像面１２ａに向かう割合が少なくなる。
【００２５】
尚、本実施例の場合には、図１に示されているように、粘着シート１３を固体撮像素子１２の周りに満遍なく配置しているが、本発明はそのようにすることに限定されるものではなく、多少の配置されていないスペースがあっても差し支えない。また、本実施例の場合には、各シャッタ羽根の４枚の羽根６，７が、図２に示されているような重畳状態になっているとき、補助地板４の開口部４ａから完全に退いた状態になっている。しかしながら、この状態のとき、機能的には、各シャッタ羽根の４枚の羽根６，７は、固体撮像素子１２の撮像面１２ａを覆っていなければよいわけであるから、本発明は、重畳状態になったときの各シャッタ羽根の４枚の羽根６，７が、撮像面１２ａを覆わない範囲で撮像面１２ａに近付くように構成しても差し支えない。そのようにすることによって、本実施例の場合よりもシャッタユニットの上下寸法の小型化が図れるようになる。更に、本実施例の場合には、開口部３ａ，４ａ，５ａが同じ大きさに形成されているが、開口部３ａ，５ａについては、固体撮像素子１２の撮影画枠より小さくならない範囲で小さくすることが可能である。
【００２６】
また、本実施例の場合、フォーカルプレンシャッタは、シャッタ駆動機構８を取り付けているシャッタ地板３をレンズ側にし、補助地板４を固体撮像素子１２側にして配置されている。このような配置は、本実施例のようなデジタルスチルカメラにおいても、銀塩カメラにおいても採用される。しかしながら、デジタルスチルカメラの場合には、シャッタ駆動機構８を取り付けているシャッタ地板３を固体撮像素子１２側にして配置することもある。従って、本発明においては、固体撮像素子１２側の地板が補助地板４であるとは限らない。更に、本実施例においては、フォーカルプレンシャッタが二つのシャッタ羽根を備えているが、既に説明したように、デジタルスチルカメラの場合には、本実施例における中間板５を設けず、シャッタ羽根を一つだけ備えたものがある。本発明は、そのようなフォーカルプレンシャッタを備えたカメラにも適用される。また、本発明を銀塩カメラに採用した場合には、通常、フィルムガイドを有するカメラ本体側の部材の開口部が撮影画枠を規制するので、粘着シートをその開口部の周囲に取り付けてもよいことになる。
【００２７】
【発明の効果】
以上のように、本発明のカメラによれば、フォーカルプレンシャッタの羽根室を構成している地板のうち、結像面側に配置された地板の撮影光路用開口部の羽根室外に、粘着シートを、撮影画枠に影響しない範囲で粘着面をレンズ側に向けて配置し、結像面近傍領域に飛来した磨耗紛や塵埃を捕捉するようにしたので、結像面に飛来して付着する量を極めて効率よく少なくすることが可能になる。
【図面の簡単な説明】
【図１】撮影レンズ側から視た実施例の平面図であって、シャッタ羽根が撮影光路を全開にしている状態を示したものである。
【図２】図１の左側面図であって、シャッタユニットについては図１の略中央で切断した断面で示したものである。
【符号の説明】
１　　　　　　　　　　　　ミラーボックス
１ａ，１ｂ，１ｃ，１ｄ　　壁
１ｅ　　　　　　　　　　　基板部
１ｆ　　　　　　　　　　　マウント部
１ｇ，３ａ，４ａ，５ａ　　開口部
１ｈ，１ｉ，１ｊ　　　　　孔
２　　　　　　　　　　　　可動ミラー
３　　　　　　　　　　　　シャッタ地板
３ｂ，３ｃ，３ｄ　　　　　取付部
４　　　　　　　　　　　　補助地板
５　　　　　　　　　　　　中間板
６　　　　　　　　　　　　先羽根の４枚の羽根
７　　　　　　　　　　　　後羽根の４枚の羽根
８　　　　　　　　　　　　シャッタ駆動機構
９，１０，１１　　　　　　ビス
１２　　　　　　　　　　　固体撮像素子
１２ａ　　　　　　　　　　撮像面
１３，１４　　　　　　　　粘着シート
Ａ　　　　　　　　　　　　フォーカルプレンシャッタ
【図１】
2004085942.tif 000003
【図２】
2004085942.tif 000004